(57)【要約】電気外科用鉗子であって、（ａ．）一対の作業アームであって、（ｉ．）第１の作業アーム及び第２の作業アームであって、各々が内面を有する、第１の作業アーム及び第２の作業アームと、（ｉｉ．）第１の作業アーム、第２の作業アーム、又は両方の内面に位置付けられた１つ以上の電極と、を備える、一対の作業アームと、（ｂ．）選択的に係合可能な起動システムであって、（ｉ．）制御ユニットと、（ｉｉ．）起動スイッチと、（ｉｉｉ．）係合解除機構と、を備える、選択的に係合可能な起動システムと、を備え、第１の作業アーム及び第２の作業アームは、互いに対して横方向に移動可能であり、そのため、起動スイッチは、第１の作業アーム及び第２の作業アームを共に閉じることによって係合解除機構が係合位置にあるときに作動され、制御ユニットに信号を送信し、次に、１つ以上の電極に治療信号を送信し、係合解除機構が係合解除位置にあり、かつ作業アームが閉じているときに、治療信号が制御ユニットから１つ以上の電極に送信されることを阻止する、電気外科用鉗子。
2019513063.tif 000002
【特許請求の範囲】
【請求項１】
電気外科用鉗子であって、
ａ．一対の作業アームであって、
ｉ．第１の作業アーム及び第２の作業アームであって、各々が内面を有する、第１の作業アーム及び第２の作業アームと、
ｉｉ．前記第１の作業アーム、前記第２の作業アーム、又は両方の前記内面に位置付けられた１つ以上の電極と、を備える、一対の作業アームと、
ｂ．選択的に係合可能な起動システムであって、
ｉ．制御ユニットと、
ｉｉ．起動スイッチと、
ｉｉｉ．係合解除機構と、を備える、選択的に係合可能な起動システムと、を備え、
前記第１の作業アーム及び前記第２の作業アームが、互いに対して横方向に移動可能であり、そのため、前記起動スイッチが、前記第１の作業アーム及び前記第２の作業アームを共に閉じることによって、前記係合解除機構が係合位置にあるときに作動され、前記制御ユニットに信号を送信し、次に、前記１つ以上の電極に治療信号を送信し、
前記係合解除機構が係合解除位置にあり、かつ前記作業アームが閉じているときに、前記治療信号が前記制御ユニットから前記１つ以上の電極に送信されることを阻止する、電気外科用鉗子。
【請求項２】
前記係合解除機構が、前記係合位置と前記係合解除位置との間を移動するシャトルを含む、請求項１に記載の電気外科用鉗子。
【請求項３】
前記係合解除機構が、前記第１の作業アーム及び前記第２の作業アームが閉じているときに、前記起動スイッチが作動されないように、前記シャトルが係合解除位置にあるときに、前記起動スイッチを受容するソケットを有し、前記第１の作業アーム及び前記第２の作業アームが閉じているときに、前記起動スイッチが作動されるように、前記ソケットが、前記係合位置において、前記起動スイッチからずれている、請求項２に記載の電気外科用鉗子。
【請求項４】
前記係合解除機構が、前記第１の作業アーム及び前記第２の作業アームが閉じているときに、前記起動スイッチがアンビル表面によって作動されるように、前記係合位置において前記起動スイッチと整列される前記アンビル表面を含み、前記第１の作業アーム及び前記第２の作業アームが閉じているときに、前記起動スイッチが作動されないように、前記アンビル表面が、前記係合解除位置において、前記起動スイッチからずれている、請求項２に記載の電気外科用鉗子。
【請求項５】
前記係合解除機構が、ソケット及びアンビル表面を含み、そのため、前記シャトルが前記係合解除位置にあるときに、前記起動スイッチが、前記ソケットと整列され、前記起動スイッチが前記ソケットと嵌合することを可能にし、そのため、前記第１の作業アーム及び前記第２の作業アームが閉じているときに、前記スイッチが作動せず、前記シャトルが前記係合位置にあるときに、前記起動スイッチが前記アンビル表面と整列され、そのため、前記第１の作業アーム及び第２の作業アームが閉じているときに、前記起動スイッチが前記アンビル表面によって作動される、請求項２に記載の電気外科用鉗子。
【請求項６】
前記係合解除機構が、前記起動スイッチと接触している板ばねを含み、そのため、前記シャトルが前記係合位置にあるときに、前記板ばねが撓み、前記第１の作業アーム及び第２の作業アームが閉じているときに、前記起動スイッチを作動させ、前記シャトルが前記係合解除位置にあるときに、前記第１の作業アーム及び前記第２の作業アームが閉じているときに板ばねが前記スイッチを作動させない、請求項２に記載の電気外科用鉗子。
【請求項７】
前記係合解除機構が、起動スイッチガードを含み、そのため、
前記シャトルが前記係合解除位置にあるときに、前記起動スイッチガードが前記起動スイッチと整列され、前記第１の作業アーム及び第２の作業アームが閉じているときに、前記起動スイッチが押圧されることを妨げ、
前記シャトルが前記係合位置にあるときに、前記起動スイッチガードが前記起動スイッチからずれており、前記第１の作業アーム及び第２の作業アームが閉じているときに、前記起動スイッチを作動させることを可能にする、請求項２に記載の電気外科用鉗子。
【請求項８】
前記起動スイッチが、シャトル上に担持される、請求項３、４、５、６、７のいずれか１項に記載の電気外科用鉗子。
【請求項９】
前記シャトルが、係合位置と係合解除位置との間を回転する、請求項２に記載の電気外科用鉗子。
【請求項１０】
前記シャトルが、係合位置と係合解除位置の間を平行移動する、請求項２に記載の電気外科用鉗子。
【請求項１１】
前記係合解除位置における前記シャトルが、１つ以上の外部起動ボタンを露出させ、前記係合位置における前記シャトルが、前記外部起動ボタンを覆う、請求項２に記載の電気外科用鉗子。
【請求項１２】
前記外部起動ボタンが、押圧されたときに、前記第１の作業アーム、第２の作業アーム、又は両方を通して、１つ以上の治療電流を送信する、請求項１１に記載の電気外科用鉗子。
【請求項１３】
ブレードを更に備える、請求項１に記載の電気外科用鉗子。
【請求項１４】
前記ブレードが、シャトルに接続され、前記係合位置において前記ブレードが露出されず、前記係合解除位置において前記ブレードが前記第１の作業アーム及び第２の作業アームを超えて延在する、請求項１３に記載の電気外科用鉗子。
【請求項１５】
前記ブレードが、電極を有する、請求項１３に記載の電気外科用鉗子。
【請求項１６】
前記係合解除位置において前記シャトルが１つ以上の外部起動ボタンを露出させ、該外部起動ボタンが押圧されたときに、前記第１の作業アーム、前記第２の作業アーム、前記ブレード、又はこれらの組み合わせを通して１つ以上の治療電流を送信し、前記係合位置において前記シャトルが前記１つ以上の外部起動ボタンを覆う、請求項１４に記載の電気外科用鉗子。
【請求項１７】
前記１つ以上の外部起動ボタンが押圧されたときに、１つ以上の治療電流が、前記ブレードと遠隔電極との間に送信される、請求項１６に記載の電気外科用鉗子。
【発明の詳細な説明】
【技術分野】
【０００１】
本教示は、概して、把持中に自動的に電気的機能を提供する電気外科鉗子に関し、より具体的には、作業アームが閉じているときに、スイッチのオン及びオフを選択的に切り替えることができる、選択的に係合可能な起動システムに関する。
【背景技術】
【０００２】
現在の電気外科用鉗子は、起動したときに、ハンドピース又はフットペダル上の押しボタンを介して、鉗子の先端部に治療電流を送信する。起動ボタンがハンドピース上に位置付けられているときに、ボタンは、クランプ力を印加しようとしながら、１本以上の指を容器などの対象特徴まで移動させることによって起動されるが、これは、困難であり得る。電気外科用鉗子型デバイス上の起動ボタンはまた、外科医の「習熟した」手技以外のことでもあり、ユーザが、一部の個人では数秒かかる、自分の意図する手の協調を再プログラムすることを必要とし、一方で、他の個人においては、これが自動応答になる前のいくつかの手順になり得る。一部の外科医は、ハンドピース上のボタンの場所を見つけ、起動することが困難であることを見出す。ハンドピース上のボタンの場所を見つけることは、外科医が、自分の手の動きを変化させ、協調を調整することを必要とし、それは、処置の流れに影響を及ぼすか、又は新しい手の動きが自動応答になるまでに遅れを生じさせる場合がある。その反対に、フットペダルを使用することは、外科医がその特定のデバイスのためのフットペダルを識別するために対象領域から目をそらさなければならない場合があるので、課題を伴い得る。
【０００３】
作業アームが閉じられているときに自動的に起動されるデバイスが使用され得るが、作業アームが共に閉じられ、かつ機能がもはや所望されないときに、機能をオフにするいかなる方法もない。これは、非電気鉗子を使用するために、又はボタン若しくはフットペダルで動作するデバイスを使用するために、外科医が機器を切り替えるという結果になり得るが、上記で述べた制限の対象になるであろう。
【０００４】
いくつかの電気外科用機器の例は、米国特許第４，０４１，９５２号及び米国特許出願公開第２０１４／０２７６７９５号に見出すことができ、これらのすべては、すべての目的に対して参照により本明細書に組み込まれる。作業アームが共に閉じているときに自動的に治療信号を送信する電気状態と、作業アームが共に閉じているときに治療電流を送信しない非電気状態との間で容易に変換する、電気外科用鉗子が必要とされる。アームが接触しているときに治療信号を送達する電気外科用鉗子と、いかなる治療信号もデバイスを通過しない標準の「コールド」鉗子との間で鉗子を切り替えることができるように選択的に係合可能である、握って起動する電気機能を有する鉗子を有することが魅力的である。第１の状態において握って起動する双極機能、及び第２の状態において握って機能する単極機能を有する電気外科用鉗子を有することが魅力的であり、電気外科用鉗子は、シャトルの使用を通じて２つの状態の間で変換する。
【先行技術文献】
【特許文献】
【０００５】
【特許文献１】米国特許第４，０４１，９５２号
【特許文献２】米国特許出願公開第２０１４／０２７６７９５号
【発明の概要】
【課題を解決するための手段】
【０００６】
本教示は、電気外科用鉗子であって、（ａ）一対の作業アームであって、（ｉ）第１の作業アーム及び第２の作業アームであって、各々が内面を有する、第１の作業アーム及び第２の作業アームと、（ｉｉ）第１の作業アーム、第２の作業アーム、又は両方の内面に位置付けられた１つ以上の電極と、を備える、一対の作業アームと、（ｂ）選択的に係合可能な起動システムであって、（ｉ）制御ユニットと、（ｉｉ）起動スイッチと、（ｉｉｉ）係合解除機構と、を備える、選択的に係合可能な起動システムと、を備え、第１の作業アーム及び第２の作業アームは、互いに対して横方向に移動可能であり、そのため、起動スイッチは、第１の作業アーム及び第２の作業アームを共に閉じることによって係合解除機構が係合位置にあるときに作動され、制御ユニットに信号を送信し、次に、１つ以上の電極に治療信号を送信し、係合解除機構が係合解除位置にあり、かつ作業アームが閉じているときに、治療信号が制御ユニットから１つ以上の電極に送信されることを阻止する、電気外科用鉗子を提供することによって、現在の必要性のうちの１つ以上を満たす。
【０００７】
本明細書の教示は、作業アームが共に閉じているときに自動的に治療信号を送信する電気状態と、作業アームが共に閉じているときに治療信号を送信しない非電気状態との間で容易に変換する、電気外科用鉗子を提供する。本教示は、アームが接触しているときに治療信号を送達する電気外科用鉗子と、いかなる治療信号もデバイスを通過しない標準の「コールド」鉗子との間で鉗子を切り替えることができるように選択的に係合可能である、握って起動する電気機能を有する鉗子を提供する。本教示は、第１の状態において握って起動する双極機能、及び第２の状態において握って機能する単極機能を有する電気外科用鉗子を提供し、電気外科用鉗子は、シャトルの使用を通じて２つの状態の間で変換する。
【図面の簡単な説明】
【０００８】
【図１】係合解除位置（刃が前進している）における電気外科用鉗子の１つの例の斜視図を例示する。
【図２】係合位置（刃が後退している）における電気外科用鉗子の斜視図を例示する。
【図３】アームを閉じた状態での係合位置における電気外科用鉗子の斜視図を例示する。
【図４】係合位置におけるソケット及びアンビル表面係合解除機構の上面図を例示する。
【図５】係合解除位置におけるソケット及びアンビル表面係合解除機構の上面図を例示する。
【図６】係合位置における板ばね機構係合解除機構の上面図を例示する。
【図７】係合解除位置における板ばね係合解除機構の上面図を例示する。
【図８】係合位置における起動スイッチガード係合解除機構の上面図を例示する。
【図９】係合解除位置における起動スイッチガード係合解除機構の上面図を例示する。
【図１０】係合位置における代替的なソケット及びアンビル表面係合解除機構の上面図を例示する。
【図１１】係合解除位置における代替的なソケット及びアンビル表面係合解除機構の上面図を例示する。
【図１２】係合位置における回転シャトルを有する電気外科用鉗子の上面図を例示する。
【図１３】係合解除位置における回転シャトルを有する電気外科用鉗子の上面図を例示する。
【図１４】電気外科用鉗子及び制御ユニットの斜視図を例示する。
【図１５】作業アーム上にアンビル表面及びソケットを有する電気外科用鉗子の構成要素を例示する図である。
【図１６】作業アーム上に起動スイッチを有する電気外科用鉗子の構成要素を例示する図である。
【発明を実施するための形態】
【０００９】
本明細書に提示する説明及び例示は、本教示、その原理、及びその実用的用途を当業者に知らせることを意図したものである。当業者であれば、特定の使用の要件に最も適し得るように、本教示をその多数の形態で適合させて適用することができる。したがって、記述される本教示の特定の実施形態は、本教示を網羅しているか又は限定しているものとして意図されているものではない。したがって、本教示の範囲は、上述の説明を参照して決定されるべきではなく、その代わりに、添付の特許請求の範囲を、このような特許請求の範囲が権利を与えられる等価物の全範囲と共に参照して決定されるべきである。特許出願及び特許出願公開を含むすべての論文及び参考文献の開示は、あらゆる目的で参照により組み込まれている。以下の特許請求の範囲から見つけられるような他の組み合わせも可能であり、それらもまた参照により本明細書に組み込まれる。
【００１０】
本教示は、第１の状態が第１の機能を提供し、第２の状態が第２の機能を提供する２つの機能状態の間で交換可能である、外科用デバイスに関する。外科用デバイスは、第１の電気状態と第２の電気状態（非電気状態であり得る）との間で切り替えることができる。第１の電気状態における外科用デバイスは、信号の生成、電力の提供、又は両方を行うように機能することができる。第２の電気状態における外科用デバイスは、把持、切開、クランプ、引き抜き、又はこれらの組み合わせを行うように機能することができる。外科用デバイスは、１つ以上の起動スイッチ（例えば、２つの起動スイッチ、３つの起動スイッチ、４つの起動スイッチ、５つの起動スイッチ）を含むことができる。１つ以上の起動スイッチを使用して、作業アームが共に閉じているときに外科用デバイスの１つ以上の機能状態を作動させることができる。外科用デバイスは、機械式外科用デバイス、電気機械式外科用デバイス（例えば、機械的に移動する要素及び電気要素を有するデバイス）、電気外科用デバイス、又はこれらの組み合わせとすることができる。外科用デバイスは、外科用システムの一部とすることができる。好ましくは、本教示は、電子式、機械式、若しくは電気機械式外科用システム、又はこれらの組み合わせを形成する、外科用鉗子及び関連する構成要素に関する。
【００１１】
外科用システムは、本明細書で教示されるデバイスのうちの１つ以上を含むことができる。外科用システムは、本明細書で教示される１つ以上の本体、１つ以上の接地パッド、１つ以上の発生器、１つ以上の電気外科用デバイス、１つ以上の隣接する本体構成要素、又はこれらの組み合わせを含むことができる。好ましくは、外科用システムは、外科用デバイスを含む。
【００１２】
外科用デバイスは、外科医が外科処置を行うために使用することができる。外科用デバイスは、２つ以上の構成、２つ以上の状態、又はこれらの両方の間で切り替えられるように機能することができる。例えば、外科用デバイスは、電気状態、非電動状態、異なる電気状態、又はこれらの組み合わせの間で切り替えることができる。外科用デバイスは、処置が阻害されないように、片手で２つ以上の状態の間を切り替えることができる。外科用デバイスは、器用に使用すること、状態を器用に切り替えること、又は両方を行うことができる。外科用デバイスは、切開、止血、凝固、乾燥、高周波治療、電気焼灼、又はこれらの組み合わせを行うなどの電動外科の目的で使用することができる。外科用デバイスは、１つ以上の機能を行うことができる。好ましくは、外科用デバイスは、複数の機能を行う。例えば、外科用デバイスは、第１の機能、第２の機能、第３の機能、第４の機能、又はより多くの機能を行うことができる。外科用デバイスは、双極能力、単極能力、非電気外科用能力、又はこれらの組み合わせを含むことができる。外科用デバイスは、開放手術で使用することができる。外科用デバイスは、非動力外科目的に使用することができる。例えば、外科用デバイスは、対象物、器官、静脈、皮膚、組織、又はこれらの組み合わせを把持するために使用することができる鉗子、ピンセット、又は両方として使用することができる。好ましくは、外科用デバイスは、電気外科用鉗子である。別の例において、デバイスの１つ以上の部分は、メスと同様に、薄刃を含んでもよく、切断に使用することができる。好ましくは、外科用デバイスは、第１の状態と第２の状態との間を切り替える後退可能なブレードを有する、組み合わせ電気外科用鉗子である。
【００１３】
外科用デバイスは、第１の状態と、第２の状態とを有することができる。第１の状態は、外科用デバイスが第１の機能要素を提供することを可能にするように機能することができる。第２の状態は、外科用デバイスが第２の機能要素を提供することを可能にするように機能することができる。状態は、別の部分に対して移動するデバイスの任意の部分の相対的な配置又は配設とすることができる。例えば、選択的に係合可能な起動システムは、デバイスが第１の状態（又は第１の構成）と第２の状態（又は第２の構成）との間で変化するように、起動スイッチに対して係合解除機構を、又はその逆に移動させる。第１の状態及び第２の状態は、機械的、電気的、電気機械的、又はこれらの組み合わせとすることができる。第１の状態は、閉じた鉗子、開いた鉗子、プローブ、ブレード、治療信号の提供、又はこれらの組み合わせとすることができる。第２の状態は、閉じた鉗子、開いた鉗子、プローブ、ブレード、治療信号の提供、又はこれらの組み合わせとすることができる。例えば、第１の状態は、第１の作業アーム及び第２の作業アームが共に閉じているときに起動スイッチを作動させて治療信号を提供する鉗子であり、第２の状態は、デバイスが、第１の作業アーム及び第２の作業アームが共に閉じているときに治療信号を送信しない、非電気状態の鉗子である。別の実施例において、第１の状態は、鉗子であり、第１の作業アーム及び第２の作業アームが共に閉じているときに双極治療信号を提供し、第２の状態は、いかなる治療信号も含まない場合があるプローブである。更なる一例において、第１の状態は、作業アームが共に閉じているときに双極治療信号を提供する鉗子であり、第２の状態は、１つ以上の外部起動ボタンを作動させたときに単極治療信号を提供するプローブである。外科用デバイスを第１の状態から第２の状態に変化させることは、外科用デバイスの本体が外科用デバイスの他の要素とどのように相互作用するかを変化させることができる。
【００１４】
外科用デバイスは、本体を有する。本体は、機能素子をユーザインターフェースに接続するように機能することができる。本体は、機能要素に電力、信号、電流、又はこれらの組み合わせを提供することができる。本体及び１つ以上の機能要素は、１つの一体部品とすることができ、又は機能要素は、本体に着脱可能とすることができる。本体は、電源を含むことができ、又は電源に接続することができる。デバイスの本体は、デバイスを機能させるために使用される構成要素を収容することができる。デバイスの本体は、ハンドピースとすることができる。デバイスの本体は、鉗子とすることができる。本体は、フレームとすることができる。フレームは、外科用デバイスの基礎をなす、又は支持する構造とすることができる。デバイスの本体は、作業アーム、１つ以上の機能要素、又は両方に接続することができる。デバイスの本体は、遠位端部と、近位端部とを有する。デバイスの本体は、１つ以上の起動スイッチ、係合解除機構、シャトル、機能要素、選択的に係合可能な起動システム、制御ユニット、一対の作業アーム、若しくはこれらの組み合わせを含むことができるか、又はこれらに接続することができる。
【００１５】
選択的に係合可能な起動システムは、ユーザが、外科用デバイスの複数の機能の間で変化させることを可能にする。選択的に係合可能な起動システムは、起動可能状態、起動不可能状態、第１の起動可能状態、第２の起動可能状態、又はこれらの組み合わせの間でデバイスを変換するように機能する。選択的に係合可能な起動システムは、電気状態と非電気状態との間でデバイスを変換することができる。選択的に係合可能な起動システムは、第１の電気状態と第２の電気状態との間でデバイスを変換することができる。選択的に係合可能な起動システムは、本体、起動スイッチ、制御ユニット、又はこれらの組み合わせに対する係合解除機構の位置を変化させることができる。選択的に係合可能な起動システムは、２つ以上の機能（例えば、２つ以上の機能、３つ以上の機能、４つ以上の機能、５つ以上の機能）を使用可能にするように、２つ以上の位置の間で変化させることができる。選択的に係合可能な起動システムは、外科用デバイスに沿って長手方向に移動させることができ（例えば、デバイス（例えば、鉗子）の長手方向軸（例えば、長さ）の方向に移動させることができ）、外科用デバイスの構成要素の周りを回転方向に移動させることができ（例えば、選択的に係合可能な起動システムが、長手方向軸に対して実質的に垂直な方向に、外科用デバイスの輪郭をたどることができ）、選択的に係合可能な起動システムは、横方向に（例えば、デバイスの輪郭をたどることなく側部から側部まで）移動させることができ、又はこれらの組み合わせで移動させることができる。本明細書で論じるような長手方向軸は、最も長い長さを有する寸法である。選択的に係合可能な起動システムは、１つ以上のチャネルに沿って、又はその中を移動させることができる。選択的に係合可能な起動システムは、摺動動作によって移動させることができる。選択的に係合可能な起動システムは、外科用デバイスの表面に位置付けられた部分と、外科用デバイスの中へ延在する部分と、を含むことができる。選択的に係合可能な起動システムは、本体上にあること、本体に着脱可能に取り付けること、本体に沿って移動可能とすること、又はこれらの組み合わせとすることができる。選択的に係合可能な起動システムは、制御ユニット、起動スイッチ、係合解除機構、シャトル、又はこれらの組み合わせからなることができる。
【００１６】
係合解除機構によって、外科用デバイスが、機能要素を係合する、又は機能要素を係合解除することを可能にする。係合解除機構は、起動スイッチが押圧されることを容易にする、又は阻止することによって、機能要素を係合又は係合解除することができる。係合解除機構は、本体、起動スイッチ、制御ユニット、若しくはこれらの組み合わせに対して移動することによる起動スイッチの作動を可能にする、又は阻止することができる。係合解除機構は、外科用デバイスに沿って長手方向に移動させることができ（例えば、デバイス（例えば、鉗子）の長手方向軸の方向に移動させることができ）、外科用デバイスの構成要素の周りを回転方向に移動させることができ（例えば、係合解除機構は、長手方向軸に対して実質的に垂直な方向に、外科用デバイスの輪郭をたどることができ）、デバイス上を横方向に（例えば、デバイスの輪郭をたどることなく側部から側部まで）移動させることができ、又はこれらの組み合わせで移動させることができる。係合解除機構は、少なくとも２つの位置、すなわち、係合位置と、係合解除位置とを有する。係合解除位置において、係合解除機構は、機能要素を作動させることができないように、起動スイッチ、制御ユニット、又は両方と整列させることができる。係合位置において、係合解除機構は、機能要素を作動させることができるように、起動スイッチ、制御ユニット、又は両方からずらすことができる。例えば、係合解除機構が係合位置にあるときに、係合解除機構は、起動スイッチからずれており、そのため、作業アームが共に閉じているときに、起動スイッチを作動させる。係合解除位置において、係合解除機構は、起動スイッチと整列され、そのため、作業アームが共に閉じているときに、起動スイッチを作動させず、又は作動するのを阻止する。係合解除機構は、シャトル、ソケット、アンビル表面、板ばね機構、起動スイッチガード、起動スイッチ、又はこれらの組み合わせから成ることができる。
【００１７】
シャトルは、複数の状態の間でデバイスを変換することを支援する。外科用デバイスは、シャトルを移動させることによって、第１の状態、第２の状態、第３の状態、第４の状態、又はそれ以上の状態の間で移動させることができる。シャトルは、平行移動させることができ、そのため、シャトルを、デバイスの線若しくは軸に沿って移動させること、デバイスの表面に沿って移動させること、デバイスのノブとして回転させること、又はこれらの組み合わせを行うことができる。例えば、シャトルは、係合位置と係合解除位置の間で作業アームの長手方向軸を中心に回転させることができる。別の例において、シャトルは、作業アームの長手方向軸を移動させることによって、係合位置と係合解除位置との間で平行移動させることができる。シャトルは、シャトルをデバイスに沿って移動させると、位置（例えば、第１、第２、第３、又は第４の位置）の間で移動させることができる。シャトルは、外科用デバイスに沿って長手方向に移動させることができ（例えば、デバイスの長手方向軸の方向に移動させることができ）、外科用デバイスの構成要素の周りを回転方向に移動させることができ（例えば、長手方向軸に対して実質的に垂直な方向に、外科用デバイスの輪郭をたどることができ）、シャトルは、横方向に（例えば、外科用デバイスの輪郭をたどることなく側部から側部まで）移動させることができ、又はこれらの組み合わせを行うことができる。シャトルは、外科用デバイスの長手方向軸に沿って移動させることができる。シャトルは、長手方向軸に対して実質的に垂直な方向に（すなわち、横方向に）移動させることができる。シャトルは、長手方向軸に対して実質的に平行である回転軸の周りを回転方向に移動させる（すなわち、回転させる）ことができる。シャトルは、係合解除機構、制御ユニット、起動スイッチ、又はこれらの組み合わせと連通することができる。シャトルが係合解除機構と連通しているときに、起動スイッチは、本体に固定される。シャトルは、２つ以上の位置（例えば、少なくとも第１の位置と、第２の位置と）を有することができる。シャトルは、複数の位置を有することができる。シャトルは、第１の位置、第２の位置、第３の位置、第４の位置、又はそれ以上の位置を有することができる。本明細書で論じられる位置のうちの１つ以上のシャトルは、本明細書の状態のうちの１つ以上を無効にすることができる。シャトルは、第１の位置において、第２の電気状態を無効にすることができ、第２の位置では、第１の電気状態及び／又は第３電気状態、又はこれらの組み合わせを無効にすることができる。例えば、シャトルは、係合位置と係合解除位置との間で係合解除機構を移動させることによって、第１の機能状態と第２の機能状態との間でデバイスを変換する。シャトルは、係合位置と係合解除位置との間で移動させることができる。シャトルは、ソケット、アンビル表面、板ばね機構、起動スイッチガード、又はこれらの組み合わせを含むことができ、これは、ユーザが起動スイッチを作動させることを有効又は無効にする。
【００１８】
係合解除機構は、ソケットを含むことができる。ソケットは、起動スイッチの作動を阻止するように機能する。ソケットは、起動スイッチを覆うことができ、また、起動スイッチの作動を阻止すること、妨害すること、妨げること、又はこれらの組み合わせを行うことができる。ソケットは、係合解除機構の位置に応じて、起動スイッチの作動を可能又は不可能にすることができる。ソケットは、シャトル又は本体上にあってもよい。ソケットは、作業アームの一方又は両方（例えば、シャトルに面する作業アームの表面）に位置付けることができる。ソケットは、シャトルの表面（例えば、作業アーム又は起動スイッチに面する表面）に位置付けることができる。係合解除機構が係合解除位置にあるときには、起動スイッチがソケットと整列され、起動スイッチがソケットの内側に嵌合することを可能にする。起動スイッチがソケットの内側に位置付けられたときに、起動スイッチは、第１の作業アーム及び第２の作業アームが共に閉じているときに作動しない。係合解除機構が係合位置にあるときには、ソケット及び起動スイッチがずれており、そのため、起動スイッチは、ソケット内に位置付けられず、また、第１の作業アーム及び第２の作業アームが閉じているときに作動する。ソケットは、作業アームの互いに向かう移動が起動スイッチを作動させないように起動スイッチを受容する、凹部とすることができる。ソケットは、穴、空洞、窪み、チャンバ、起動スイッチのすべて若しくは一部分を受容するデバイス、又はこれらの組み合わせとすることができる。ソケットは、起動スイッチを係止することができ、そのため、起動スイッチが作動するのを阻止する。例えば、起動スイッチは、起動スイッチと作業アーム又はシャトルとの間で起動スイッチの下に延在し、起動スイッチ押圧されることを阻止する部品を有することができる。ソケット及び起動ボタンは、治療信号が所望されないときにソケットが起動スイッチを受容するように、対向面に位置付けることができる。
【００１９】
係合解除機構は、アンビル表面を含むことができる。アンビル表面は、起動スイッチを作動させるように機能することができる。アンビル表面は、第１の作業アーム及び第２の作業アームが共に閉じているときに起動スイッチを押圧することによって、デバイスが係合位置にあるときに起動スイッチを作動させることができる。アンビル表面は、シャトル又は本体に位置付けることができる。係合解除機構が係合位置にあるときには、起動スイッチをアンビル表面と整列させることができ、そのため、起動スイッチは、第１の作業アーム及び第２の作業アームが閉じているときにアンビル表面によって作動される。係合解除機構が係合解除位置にあるときには、起動スイッチをアンビル表面からずらすことができ、そのため、起動スイッチは、第１の作業アーム及び第２の作業アームが閉じているときに作動しない。係合解除機構は、起動スイッチのためのソケットと、アンビル表面とを含むことができる。例えば、係合解除機構は、係合解除位置にあり、起動スイッチは、ソケットと整列される。起動スイッチは、ソケットと整列され、起動スイッチがソケットに嵌合することを可能にし、そのため、作業アームが共に閉じているときに、起動スイッチは、アンビル表面によって作動しない。ソケットは、起動スイッチがアンビル表面と接触することから保護することによって、起動スイッチが作動することを物理的に阻止する。係合位置における係合解除機構は、起動スイッチをソケットからずらして配置する。起動スイッチがソケットからずれているときには、アンビル表面が起動スイッチに接触することができる。作業アームを共に閉じると、アンビル表面が起動スイッチを押圧し、起動スイッチを作動させて、機能要素を有効にする。
【００２０】
係合解除機構は、板ばね機構を含むことができる。板ばね機構は、係合位置において起動スイッチと接触することができる。板ばね機構は、第１の作業アーム、第２の作業アーム、シャトル、第１の作業アーム、第２の作業、又はこれらの組み合わせに接続することができる。板ばね機構は、係合位置において起動スイッチと整列させることができ、また、係合解除位置において起動スイッチからずらすことができる。例えば、板ばね機構は、第１の作業アーム、第２の作業アーム、又は両方に接続され、そのため、シャトルが係合位置にあるときに、板ばね機構は、作業アームが共に閉じているときに撓み、これが、シャトル上に位置付けられた起動スイッチを押圧し、機能要素を起動させる。シャトルが係合解除位置にあるときには、板ばね機構が、シャトル上に位置付けられた起動スイッチからずれているので、板ばね機構は、第１の作業アーム及び第２の作業アームが閉じているときに起動スイッチを作動させない。
【００２１】
係合解除機構は、起動スイッチガードを含むことができる。起動スイッチガードは、起動スイッチが作動するのを阻止するように機能する。起動スイッチガードは、起動スイッチとデバイスの作動表面との間に入り、起動スイッチが物理的に物押圧されるのを阻止する、材料片とすることができる。係合解除位置における起動スイッチガードは、第１の作業アーム及び第２の作業アームが閉じているときに、起動スイッチと整列させ、起動スイッチが押圧されるのを阻止することができる。起動スイッチガードが係合位置にあるときに、起動スイッチガードは、起動スイッチからずらすことができ、第１の作業アーム及び第２の作業アームが閉じているときに起動スイッチが作動することを可能にする。起動スイッチガードは、本体、シャトル、第１の作業アーム、第２の作業アーム、又はこれらの組み合わせ上に位置付けることができる。好ましくは、起動スイッチガードは、シャトル上に位置付けられる。
【００２２】
起動スイッチは、デバイスの機能要素を起動させるように機能することができる。起動スイッチは、１つ以上のユーザ入力を受信し、また、外科用デバイスの１つ以上の機能要素を制御するように機能する。デバイスと関連付けられた２つ以上の起動スイッチ（例えば、２つの起動スイッチ、３つの起動スイッチ、４つの起動スイッチ、５つの起動スイッチ）が存在し得る。起動スイッチは、外科用デバイス、第１の作業アーム、第２の作業アーム、シャトル、又はこれらの組み合わせの内部空間に位置付けることができる。起動スイッチは、シャトルと共に移動可能とすることができる。起動スイッチは、シャトルに対して固定とすることができる（例えば、長手方向若しくは回転方向であるが、シャトルの移動によって押圧することができる）。起動スイッチは、鉗子の対向部分上に位置付けることができ、シャトルが位置の間を移動するときに作動させること、又は保護することができる。例えば、起動スイッチは、作業アーム上に位置付けることができ、また、シャトルが係合位置にあるときに作動させ、シャトルが係合解除位置にあるときに作動することを阻止することができる。起動スイッチは、平面、凸状、凹状、ドームスイッチ、膜スイッチ、電気スイッチ、容量センサ、圧力センサ、又はこれらの組み合わせとすることができる。起動スイッチを作動させたときに、スイッチは、回路を完成させること、信号を送信すること、又は両方を行うことができる。起動スイッチは、作動させたときに、制御ユニットに信号を送信することができる。
【００２３】
外科用デバイスは、一対の作業アームを含む。作業アームは、把持する、引き抜く、挟持する、押し開く、探索する、又はこれらの組み合わせを行うために使用することができる。作業アームは、第１の作業アームと、第２の作業アームとを含むことができる。作業アームは、内面を含むことができる。第１の作業アーム、第２の作業アーム、又は両方の内面には、１つ以上の電極が存在し得る。第１の作業アーム、第２の作業アーム、又は両方が、係合解除機構、起動スイッチ、又は両方と連通することができる。デバイスが係合解除位置にあり、かつ第１の作業アーム及び第２の作業アームが共に閉じているときに、係合解除機構によって起動スイッチを押圧することができる。選択的に係合可能な起動システムによって起動スイッチが押圧されたときに、信号を制御ユニットに送信することができる。制御ユニットは、作業アームの内面の電極に治療信号を送信することができる。
【００２４】
治療信号は、信号、電力、導通、又はこれらの組み合わせとすることができる。治療信号は、外科用デバイスから発生器、又はその逆に渡すことができる。治療信号は、外科用デバイスによって形成すること、発生器によって形成すること、又は両方によって形成することができる。信号は、治療電流とすることができる。好ましくは、治療信号は、ユーザが工程を行ったことを示し、信号は、治療電流、治療エネルギー、又は両方が生成されるように伝送されている。治療信号は、１つ以上の治療電流が生成されるように信号を提供することができ、治療電流は、電気外科に使用することができる。治療信号は、外科用デバイスが、第１の状態、第２の状態、第３の状態であるときに、係合解除機構が、第１の位置、第２の位置、第３の位置にあるときに、又は外科用デバイスの状態及び係合解除機構の位置の組み合わせにおいて伝導することができる。好ましくは、治療信号は、係合解除機構が係合解除位置にあるときに、生成されない、外科用デバイスから出ない、又は両方である。治療信号は、単極治療信号、双極治療信号、又は両方とすることができる。治療信号は、単極治療電流、双極治療電流、又は両方とすることができる。単極治療信号は、発生器内の戻りポートとアクティブポートとの間に電圧差を有する、任意の信号とすることができる。単極治療信号は、外科用デバイスによって印加されたときに、外科用デバイスの一方の極から遠隔位置に位置付けられた別の極に達する、任意の信号とすることができる。双極治療信号は、外科用デバイスに接続された２つの電極間で電圧差を有する、発生器内に位置付けられる、又はその両方である、任意の信号とすることができる。双極治療信号は、印加されたときに、外科用デバイスの一方の構成要素から外科用デバイスの他方の構成要素に（例えば、２つの作業アームの間に、ブレード電極から一方若しくは両方の作業アームに、又は両方に）達する、任意の信号とすることができる。治療信号は、係合解除機構が係合解除位置にあるときに、外科的デバイスから出ることができ、そのため、治療信号は、ブレード電極から、第１の作業アームと第２の作業アームとの間に、ブレード電極と一方又は両方の作業アームとの間に、又はこれらの組み合わせに達する。治療信号は、生成し、外科用デバイスから制御ユニットに伝導することができる。
【００２５】
制御ユニットは、電力、治療信号、制御信号の供給、ユーザからの信号に応答した該制御ユニット自体の電子的な再構成、ユーザによる調整に応答した物理的な再構成、又はこれらの組み合わせを行う、任意のデバイスとすることができる。制御ユニットは、外科用デバイスに電気的に接続して、治療信号、電力、治療電流、又はこれらの組み合わせを提供及び／又は受信するように機能することができる。制御ユニットは、単一の治療信号だけを生成することを可能とすることができる。制御ユニットは、２つの治療信号を生成することを可能とすることができる。制御ユニットは、複数の治療信号を生成することを可能とすることができる。制御ユニットは、２つ以上の電力接続部、３つ以上の電力接続部、又は４つ以上の電力接続部を含むことができる。制御ユニットは、電力接続部のうちの１つ以上の間で切り替えることができる１つ以上のスイッチを含むことができ、そのため、外科用デバイスの所望の構成に基づいて、電力、信号、又は両方を電気外科用デバイスに選択的に印加することができる。制御ユニットは、発生器、マイクロプロセッサ、又は両方とすることができる。好ましくは、制御ユニットは、発生器である。
【００２６】
発生器は、電力、治療信号、治療電流、制御信号の供給、ユーザからの信号に応答した発生器自体の電子的な再構成、ユーザによる調整に応答した物理的な再構成、又はこれらの組み合わせを行う、任意のデバイスとすることができる。発生器は、外科用デバイスに電気的に接続して、治療信号、電力、治療電流、又はこれらの組み合わせを提供及び／又は受信するように機能することができる。発生器は、単一の治療信号だけを生成することを可能とすることができる。発生器は、２つ以上の治療信号を生成することを可能とすることができる。発生器は、複数の治療信号を生成することを可能とすることができる。発生器は、２つ以上の電力接続部、３つ以上の電力接続部、又は４つ以上の電力接続部を含むことができる。電力接続部は、外科用デバイスの１つ以上の電力コネクタのプラグを差し込むことができるように、発生器内の任意のポートとすることができ、そのため、電力、治療信号、制御信号、治療電流、又はこれらの組み合わせが外科用デバイスに供給される。発生器は、電力接続部のうちの１つ以上の間で切り替えられることができる、１つ以上のスイッチを含むことができ、そのため、外科用デバイスの所望の構成に基づいて、電力、信号、又は両方を外科用デバイスに選択的に適用することができる。発生器は、中央処理ユニット（ＣＰＵ）、一連の内部スイッチング、又は両方を含むことができる。内部スイッチングは、電圧源が外科用デバイスに供給されるように、起動回路から電圧源まで信号を提供することができる。ＣＰＵは、内部スイッチングによって交替させることができ、スイッチングは、ＣＰＵと同じ機能を行うことができる。ＣＰＵは、電気外科用デバイスを使用して本明細書で論じられているような所望の機能を行うことができるように、電力、信号、電気再構成、２つ以上の治療電流の間の切り替え、２つ以上の構成の間の切り換え、２つ以上の治療信号の間の切り換え、又はこれらの組み合わせを電気外科用デバイスに提供する、任意のデバイスとすることができる。ＣＰＵを使用して、１つ以上の治療信号を送信すること、又は送信しないことによって、第１の構成、第２の構成、第３の構成、単極構成、双極構成、非電気外科用構成、又はこれらの組み合わせの間で外科用デバイスを切り替えることができる。
【００２７】
外科用デバイスはまた、作動させたときに１つ以上の治療信号を有効にする、１つ以上の外部起動ボタンを含むことができる。外部起動ボタンは、デバイスが第２の状態にあるときに１つ以上の機能要素を作動させるために使用される。外部起動ボタンは、第１の状態において、覆われていてもよく、及び／又は露出されていなくてもよい。外部起動ボタンは、第２の状態において、覆われていなくてもよく、及び／又は露出されていてもよい。外部起動ボタンは、外科用デバイスの外部に位置付けることができる。外部起動ボタンは、シャトル、係合解除機構、又は両方によって覆うこと、及び覆わないことができる。例えば、外科用デバイスが第１の状態であり、かつシャトルが係合位置にある。シャトルが係合位置にあるときに、外部起動ボタンは、覆われている。シャトルが係合位置から係合解除位置まで移動すると、外科用デバイスが第２の状態に変換され、外部起動ボタンが覆われなくなる。外部起動ボタンは、第２の状態において第１の状態と同じ機能要素を作動させることができる。外部起動ボタンは、第１の状態とは異なる機能要素を作動させることができる。
【００２８】
１つ以上の機能要素は、外科用デバイスを使用して外科処置を行うことができるように、外科用デバイスに付加することができる外科用デバイスの一体部分又は一部である。外科用デバイスは、少なくとも１つの機能要素を有する。好ましくは、外科用デバイスは、２つ以上の機能要素を有する。機能要素は、電気要素とすることができる。電気要素は、電気を使用して、外科処置のうちの１つ以上の部分を行う。電気機能要素は、電極、電気モータ、超音波トランスデューサ、又はこれらの組み合わせとすることができる。外科用デバイスは、少なくとも１つの電気要素を有することができる。外科用デバイスは、少なくとも２つの電気要素を有することができる。外科用デバイスは、複数の電気要素を有することができる。外科用デバイスの機能要素は、機械的機能とすることができる。機械的機能は、電気又は任意の他の電源を実質的に含まない。機械的機能は、外科用デバイスを使用して、切開、把持、探索、鋸による切断、又はこれらの組み合わせを行うことができる。例えば、機械的デバイスは、鉗子である。例えば、機械的デバイスは、外科用メスである。外科用デバイスは、電気式及び非電気式機能要素の組み合わせとすることができる。例えば、外科用デバイスは、電気外科用鉗子とすることができ、第１の状態において電気外科用鉗子が治療電流を生成し、第２の状態において外科用デバイスが非電気鉗子として機能する。
【００２９】
外科用デバイスは、組み合わせデバイスとすることができる。組み合わせデバイスは、２つ以上の構造要素を単一のデバイスに組み込んで、ハンドセットを切り替えることなく、多数の機能を行うことが可能である工具を作製する。例えば、外科用デバイスは、第１の状態において電気外科用鉗子であり、第２の状態においてブレード付き切削工具である。
【００３０】
図１は、電気外科用デバイス２として示される外科用デバイス１の１つの実施例の斜視図を例示する。電気外科用デバイス２は、本体５を含む電気外科用鉗子４である。電気外科用鉗子４は、遠位端部１４と、近位端部１６とを有する。遠位端部１４は、第１の作業アーム６ａと、第２の作業アーム６ｂと、該作業アームの間にブレード電極８を伴うブレード９とを有する、一対の作業アーム６を含む。作業アーム６ａ、６ｂは、それぞれ、内面７と、電極１３とを有する。ブレード９は、シャトル２０を係合解除位置２４へ（すなわち長手方向軸１８に沿って）前方に移動させることによって、第１の状態１０の状態へ前方に進められる。起動スイッチ３４は、第１の作業アーム６ａ上に担持される。アンビル表面４６及びソケット４４は、シャトル２０上に担持される。係合解除位置２４において、起動スイッチ３４は、起動スイッチ３４がアンビル表面４６によって作動しないように、ソケット４４と整列され、起動スイッチ３４は、アンビル表面４６からずれている。第１の外部起動ボタン２６及び第２の外部起動ボタン２８は、シャトル２０が係合解除位置２４にあるときに露出する。
【００３１】
図２は、シャトル２０が係合位置２２にある、第２の状態１２における電気外科用鉗子４の斜視図を例示する。第２の状態において、ブレード電極８を伴うブレード９は、一対の作業アーム６の間を後退している。シャトル２０が係合位置２２にあるときに、起動スイッチ３４（シャトル２０上に位置付けられる）は、ソケット４４（第１の作業アーム６ａ上に位置付けられる）からずれており、そのため、第１の作業アーム６ａ及び第２の作業アーム６ｂが横方向移動６０において共に閉じているときに、アンビル表面４６が起動スイッチ３４を作動させ、内面７上の電極１３を通して治療信号を送信する。電気外科用鉗子が係合位置２２にあるときに、第１の外部起動ボタン及び第２の外部起動ボタンは、覆われている。
【００３２】
図３は、作業アーム６がユーザによって閉じた位置まで作動されたときの、第２の状態１２における電気外科用鉗子４の斜視図を例示する。第２の状態１２においては、シャトル２０が係合位置２２にあり、一対の作業アーム６が共に閉じている。第１の作業アーム６ａ及び第２の作業アーム６ｂが共に閉じているときに、アンビル表面４６は、起動スイッチ３４を作動させ、ソケット４４は、起動スイッチ３４からずれている。起動ボタン３４の作動に応じて、治療信号が、作業アーム６の内面７に位置付けられた電極１３に送信される。第２の状態１２において、ブレード電極８を伴うブレード９は、後退している。
【００３３】
図４は、係合位置２２におけるソケット４４及びアンビル係合解除機構３６の上面図を例示する。シャトル２０は、アンビル表面４６及びソケット４４を担持する。起動スイッチ３４（第１の作業アーム６ａ上）は、アンビル表面４６と整列され、そのため、第１の作業アーム６ａ及び第２の作業アーム６ｂは、横方向移動６０によって共に閉じられているときに、アンビル表面４６は、起動スイッチ３４を起動方向６２に作動させる。係合位置２２において、ブレード９は、一対の作業アーム６を超えて延在しない。
【００３４】
図５は、係合解除位置２４におけるソケット４４及びアンビル係合解除機構３６の上面図を例示する。シャトル２０が、平行移動方向６６において、係合位置２４から係合解除位置２４に移動するときに、ソケット４４が起動スイッチ３４と整列し、そのため、第１の作業アーム６ａ及び第２の作業アーム６ｂが共に移動するときに、起動スイッチ３４がソケット４４の中へ延在する。係合位置２４においては、第１の作業アーム６ａ及び第２の作業アーム６ｂが接触しているときに、起動スイッチ３４がアンビル表面４６によって作動されず、外部起動ボタン２６、２８が露出する。ブレード９は、一対の作業アーム６の間を方向６６に前進する。
【００３５】
図６は、係合位置２２における、板ばね４８である係合解除機構３６の上面図を例示する。板ばね４８は、第１の作業アーム６ａ及び第２の作業アーム６ｂが横方向移動６０によって閉じられたときに、アンビル表面４６に対して撓む。一対の作業アーム６が横方向移動６０によって移動し、接触しているときに、板ばね４８は、起動スイッチ３４を起動方向６２に作動させる。係合位置２２において、ブレード９は、作業アーム６を超えて延在しない。
【００３６】
図７は、係合解除位置２４における、板ばね４８である係合解除機構３６の上面図を例示する。シャトルが、平行移動方向６６において、係合解除位置２４に移動するときに、アンビル表面４６は、板ばね４８及びアンビル表面４６がずれるように、かつ板ばね４８及び起動スイッチ３４がアンビル表面４６からの撓みがなくなるように移動する。係合解除位置２４において、シャトル２０は、ブレード９が第１の作業アーム６ａ及び第２の作業アーム６ｂの間に、かつ部分的に遠位に延在した状態で、遠位位置に位置付けられ、作業アームは、ブレード９を中心に共に移動する。示されるように、外部起動ボタン２６、２８は、シャトル２０を遠位位置に位置付けることによって露出する。
【００３７】
図８は、係合位置２２における、起動スイッチガード５０である係合解除機構３６の上面図を例示する。シャトル２０は、アンビル表面４６と起動スイッチ３４とを整列させ、そのため、第１の作業アーム６ａ及び第２の作業アーム６ｂが横方向移動６０によって共に閉じているときに、アンビル表面４６は、起動スイッチ３４を起動方向６２に作動させる。シャトル２０が係合位置２２にあるときに、起動スイッチガード５０は、起動スイッチ３４からずれており、ブレード９は、一対の作業アーム６を超えて延在しない。
【００３８】
図９は、係合解除位置２４における、起動スイッチガード５０である係合解除機構３６の上面図を例示する。シャトル２０は、平行移動方向６６に前進し、起動スイッチガード５０を前進させる。起動スイッチガード５０は、起動スイッチ３４と整列され、そのため、アンビル表面４６は、起動スイッチ３４を作動させることができない。第１の作業アーム６ａ及び第２の作業アーム６ｂは、接触しており、ブレード９は、作業アーム６を通って前進する。外部起動ボタン２６、２８は、シャトル２０を平行移動方向６６に前進させたときに露出する。
【００３９】
図１０は、ソケット４４及びアンビル表面４６が係合位置２２にある係合解除機構３６の上面図を例示する。シャトル２０は、起動スイッチ３４を担持し、また、起動スイッチ３４を第１の作業アーム６ａ上のアンビル表面４６と整列させる。第１の作業アーム６ａ及び第２の作業アーム６ｂが共に横方向移動６０によって接触しているときに、起動スイッチ３４は、起動方向６２において、アンビル表面４６と反対に作動する。示されるように、起動スイッチ３４は、ソケット４４からずれており、ブレード９は、一対の作業アーム６を超えて延在しない。
【００４０】
図１１は、係合解除位置２４における、ソケット４４及びアンビル表面４６を含む係合解除機構３６の上面図を例示する。シャトル２０は、平行移動方向６６に前進し、これは、第１の作業アーム６ａ及び第２の作業アーム６ｂを接触させる。この時点で、起動スイッチ３４は、ソケット４４と整列され、起動スイッチ３４は、アンビル表面４６によって作動しない。示されるように、外部起動ボタン２６、２８が露出し、ブレード９が一対の作業アーム６を超えて前進する。
【００４１】
図１２は、第２の状態１２における電気外科用鉗子４の上面図を例示する。第１の作業アーム６ａ及び第２の作業アーム６ｂは、電極１３が端部に位置付けられた内面７を有する。第２の状態１２において、係合解除機構３６は、係合位置２２にある。シャトル２０は、起動スイッチ３４とアンビル表面４６とを整列させ、また、起動スイッチ３４をソケット４４からずらし、ブレード９を後退させる。一対の作業アーム６が横方向移動６０によって接触したときに、起動スイッチ３４は、アンビル表面４６によって起動方向６２に作動される。
【００４２】
図１３は、第１の状態１０における電気外科用鉗子４の上面図を例示する。第１の状態１０において、係合解除機構３６は、係合解除位置２４にある。シャトル２０は、起動スイッチ３４がソケット４４と整列され、かつ起動スイッチがアンビル表面４６に接触することによって押圧されないように回転６４し、ブレード９を延在させる。シャトル２０を第１の状態１０まで回転させることで、ブレード９が前進し、第１の作業アーム６ａ及び第２の作業アーム６ｂが接触する。内面７の電極１３は、治療信号を含まない。
【００４３】
図１４は、選択的に係合可能な起動システム３０を伴う電気外科用鉗子４の斜視図を例示する。選択的に係合可能な起動システム３０は、制御ユニット３２を含み、電気外科用発生器３３として例示される。電気外科用鉗子４及び接地パッド３９は、制御ユニット３２に接続される。
【００４４】
図１５は、電気外科用鉗子４の部分分解図を例示する。本体５は、一対の作業アーム６を保持する。第１の作業アーム６ａ及び第２の作業アーム６ｂは、内面７を有する。遠位端部１４において、第１の作業アーム６ａ及び第２の作業アーム６ｂは、内面７を有する。内面は、電極１３を含む。起動スイッチ３４は、第１の作業アーム６ａの内面７に位置付けられる。シャトル２０は、ブレード電極８を含むブレード９を保持する。係合解除機構３６は、シャトル２０と、起動スイッチ３４と、アンビル表面４６と、ソケット４４とを含むように示される。シャトル２０は、アンビル表面４６及びソケット４４を担持する。
【００４５】
図１６は、電気外科用デバイス４の部分分解図を例示する。本体５は、一対の作業アーム６を保持する。第１の作業アーム６ａ及び第２の作業アーム６ｂは、内面７を有する。作業アーム６の遠位端部１４は、内面７を含む。内面７には、電極１３が位置付けられる。第１の作業アーム６ａの内面７は、アンビル表面４６及びソケット４４を保持する。シャトル２０は、ブレード電極８を含むブレード９を保持する。係合解除機構３６は、シャトル２０と、起動スイッチ３４と、アンビル表面４６と、ソケット４４とを含むように示される。
【００４６】
本明細書に列挙するあらゆる数値は、少なくとも２つの単位の分離が任意のより低い値と任意のより高い値との間にあることを条件として、１つの単位の増分で低い値から高い値までのすべての値を含む。一例として、構成要素の量、又は例えば温度、圧力、時間などのプロセス変数の値が、例えば１〜９０、好ましくは２０〜８０、より好ましくは３０〜７０であると明記されている場合、１５〜８５、２２〜６８、４３〜５１、３０〜３２などの値が本明細書中に明示的に列挙されていることが意図されている。１未満の値については、１つの単位は、適宜、０．０００１、０．００１、０．０１、又は０．１とみなされる。これらは具体的に意図されるものの単なる例に過ぎず、列挙されている最低値と最高値との間の数値のすべての可能な組み合わせが、同様に本明細書において明示的に記載されているものとみなされるべきである。
【００４７】
特に明記されていない限り、すべての範囲は、両方の終点、及びそれらの終点間のすべての数を含む。範囲に関連した「約」又は「およそ」の使用は、範囲の両端に適用される。したがって、「約２０〜３０」は、少なくとも指定の終点を含めて、「約２０〜約３０」を包含することが意図されている。
【００４８】
特許出願及び特許出願公開を含むすべての論文及び参考文献の開示は、あらゆる目的で参照により組み込まれている。組み合わせを説明する「〜から本質的になる」という用語は、特定された要素、成分、構成要素、又は工程と、組み合わせの基本的及び新規な特性に実質的に影響を与えないような他の要素、成分、構成要素、又は工程とを含むものとする。本明細書における要素、成分、構成要素、又は工程の組み合わせを説明する「〜を備える」又は「〜を含む」という用語の使用は、要素、成分、構成要素、又は工程から本質的になる実施形態も企図している。本明細書において「してもよい」という用語を使用することによって、含まれ「てもよい」あらゆる記載される属性は任意選択であるものとする。
【００４９】
複数の要素、成分、構成要素又は工程は、単一の統合された要素、成分、構成要素又は工程によって実現され得る。代替的に、単一の統合された要素、成分、構成要素、又は工程は、別個の複数の要素、成分、構成要素、又は工程に分割されることがある。要素、成分、構成要素、又は工程を説明する「１つの（ａ）」又は、「１つの（one）」という開示は、追加の要素、成分、構成要素、又は工程を除外することを意図しない。
【００５０】
上述の説明は例示であり、限定するものではないことが理解される。提供した実施例以外の多くの実施形態並びに多くの適用例が、上述の説明を読むことによって当業者には明白となるであろう。したがって、本教示の範囲は、上述の説明を参照して決定されるべきではなく、その代わりに、添付の特許請求の範囲を、このような特許請求の範囲が権利を与えられる等価物の全範囲と共に参照して決定されるべきである。特許出願及び特許出願公開を含むすべての論文及び参考文献の開示は、あらゆる目的で参照により組み込まれている。以下の特許請求の範囲における、本明細書に開示されている主題のいかなる態様の省略も、このような主題を放棄するものではなく、本発明者らがこのような主題を、開示されている発明の主題の一部であるとみなさなかったものと考えられるべきものでもない。
【図１】
2019513063.tif 000003
【図２】
2019513063.tif 000004
【図３】
2019513063.tif 000005
【図４】
2019513063.tif 000006
【図５】
2019513063.tif 000007
【図６】
2019513063.tif 000008
【図７】
2019513063.tif 000009
【図８】
2019513063.tif 000010
【図９】
2019513063.tif 000011
【図１０】
2019513063.tif 000012
【図１１】
2019513063.tif 000013
【図１２】
2019513063.tif 000014
【図１３】
2019513063.tif 000015
【図１４】
2019513063.tif 000016
【図１５】
2019513063.tif 000017
【図１６】
2019513063.tif 000018
【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
電気外科用鉗子であって、
ａ．一対の作業アームであって、
ｉ．第１の作業アーム及び第２の作業アームであって、各々が内面を有する、第１の作業アーム及び第２の作業アームと、
ｉｉ．前記第１の作業アーム、前記第２の作業アーム、又は両方の前記内面に位置付けられた１つ以上の電極と、を備える、一対の作業アームと、
ｂ．選択的に係合可能な起動システムであって、
ｉ．制御ユニットと、
ｉｉ．起動スイッチと、
ｉｉｉ．係合解除機構と、を備える、選択的に係合可能な起動システムと、を備え、
前記第１の作業アーム及び前記第２の作業アームが、互いに対して横方向に移動可能であり、そのため、前記起動スイッチが、前記第１の作業アーム及び前記第２の作業アームを共に閉じることによって、前記係合解除機構が係合位置にあるときに前記係合解除機構により押され、前記制御ユニットに信号を送信し、次に、前記１つ以上の電極に治療信号を送信し、
前記係合解除機構が係合解除位置にあり、かつ前記作業アームが閉じているときに、前記治療信号が前記制御ユニットから前記１つ以上の電極に送信されることを阻止する、電気外科用鉗子。
【請求項２】
前記係合解除機構が、前記係合位置と前記係合解除位置との間を移動するシャトルを含む、請求項１に記載の電気外科用鉗子。
【請求項３】
前記係合解除機構が、前記第１の作業アーム及び前記第２の作業アームが閉じているときに、前記起動スイッチが作動されないように、前記シャトルが係合解除位置にあるときに、前記起動スイッチを受容するソケットを有し、前記第１の作業アーム及び前記第２の作業アームが閉じているときに、前記起動スイッチが作動されるように、前記ソケットが、前記係合位置において、前記起動スイッチからずれている、請求項２に記載の電気外科用鉗子。
【請求項４】
前記係合解除機構が、前記第１の作業アーム及び前記第２の作業アームが閉じているときに、前記起動スイッチがアンビル表面によって作動されるように、前記係合位置において前記起動スイッチと整列される前記アンビル表面を含み、前記第１の作業アーム及び前記第２の作業アームが閉じているときに、前記起動スイッチが作動されないように、前記アンビル表面が、前記係合解除位置において、前記起動スイッチからずれている、請求項２に記載の電気外科用鉗子。
【請求項５】
前記係合解除機構が、ソケット及びアンビル表面を含み、そのため、前記シャトルが前記係合解除位置にあるときに、前記起動スイッチが、前記ソケットと整列され、前記起動スイッチが前記ソケットと嵌合することを可能にし、そのため、前記第１の作業アーム及び前記第２の作業アームが閉じているときに、前記スイッチが作動せず、前記シャトルが前記係合位置にあるときに、前記起動スイッチが前記アンビル表面と整列され、そのため、前記第１の作業アーム及び第２の作業アームが閉じているときに、前記起動スイッチが前記アンビル表面によって作動される、請求項２に記載の電気外科用鉗子。
【請求項６】
前記係合解除機構が、前記起動スイッチと接触している板ばねを含み、そのため、前記シャトルが前記係合位置にあるときに、前記板ばねが撓み、前記第１の作業アーム及び第２の作業アームが閉じているときに、前記起動スイッチを作動させ、前記シャトルが前記係合解除位置にあるときに、前記第１の作業アーム及び前記第２の作業アームが閉じているときに板ばねが前記スイッチを作動させない、請求項２に記載の電気外科用鉗子。
【請求項７】
前記係合解除機構が、起動スイッチガードを含み、そのため、
前記シャトルが前記係合解除位置にあるときに、前記起動スイッチガードが前記起動スイッチと整列され、前記第１の作業アーム及び第２の作業アームが閉じているときに、前記起動スイッチが押圧されることを妨げ、
前記シャトルが前記係合位置にあるときに、前記起動スイッチガードが前記起動スイッチからずれており、前記第１の作業アーム及び第２の作業アームが閉じているときに、前記起動スイッチを作動させることを可能にする、請求項２に記載の電気外科用鉗子。
【請求項８】
前記起動スイッチが、シャトル上に担持される、請求項３、４、５、６、７のいずれか１項に記載の電気外科用鉗子。
【請求項９】
前記係合解除位置における前記シャトルが、１つ以上の外部起動ボタンを露出させ、前記係合位置における前記シャトルが、前記外部起動ボタンを覆う、請求項２に記載の電気外科用鉗子。
【請求項１０】
前記外部起動ボタンが、押圧されたときに、前記第１の作業アーム、第２の作業アーム、又は両方を通して、１つ以上の治療電流を送信する、請求項９に記載の電気外科用鉗子。
【請求項１１】
ブレードを更に備える、請求項１に記載の電気外科用鉗子。
【請求項１２】
前記ブレードが、シャトルに接続され、前記係合位置において前記ブレードが露出されず、前記係合解除位置において前記ブレードが前記第１の作業アーム及び第２の作業アームを超えて延在する、請求項１１に記載の電気外科用鉗子。
【請求項１３】
前記ブレードが、電極を有する、請求項１１に記載の電気外科用鉗子。
【請求項１４】
前記係合解除位置において前記シャトルが１つ以上の外部起動ボタンを露出させ、該外部起動ボタンが押圧されたときに、前記第１の作業アーム、前記第２の作業アーム、前記ブレード、又はこれらの組み合わせを通して１つ以上の治療電流を送信し、前記係合位置において前記シャトルが前記１つ以上の外部起動ボタンを覆う、請求項１２に記載の電気外科用鉗子。
【請求項１５】
前記１つ以上の外部起動ボタンが押圧されたときに、１つ以上の治療電流が、前記ブレードと遠隔電極との間に送信される、請求項１４に記載の電気外科用鉗子。
【国際調査報告】
2019513063.tif 000019
2019513063.tif 000020
2019513063.tif 000021
2019513063.tif 000022